(57)【要約】【課題】撮像画角の指定を簡便に行うことが可能な撮像画角選定システム及び撮像画角選定方法を提供する。【解決手段】注文管理サーバ３０は、端末１０の撮像部１５により撮像された画像データに基づいて、少なくとも１以上の撮像変更画像データを生成し、端末１０の操作部１２を介して選択される撮像変更画像データに基づいて、利用者から注文される撮像ユニット１２０の撮像画角を特定し、この特定された撮像画角の値を製造機関４０に通知する。【選択図】図６
2006211543.tif 000002
【特許請求の範囲】
【請求項１】
撮像手段と、当該撮像手段により撮像された光学像を眼に導く接眼光学系とを有するヘッドマウントディスプレイの撮像画角選定システムであって、
前記撮像手段とは異なる他の撮像手段と、
前記他の撮像手段により撮像された画像データ及び当該撮像時の撮像条件情報を記憶する記憶手段と、
前記記憶された撮像条件情報に基づいて、前記撮像手段の撮像画角を特定する撮像画角特定手段と、
前記特定された撮像画角の値を通知する通知手段と、
を備えたことを特徴とする撮像画角選定システム。
【請求項２】
前記他の撮像手段により撮像された画像データに基づいて、当該画像データの画角を変更した少なくとも１以上の画角変更画像データを生成する画角変更手段と、
前記生成された画角変更画像データの変更条件を示した変更条件データを当該画角変更画像データと対応付けて記憶する変更条件記憶手段と、
前記生成された画角変更画像データを表示する表示手段と、
前記表示された画角変更画像データを選択的に指定可能な画像指定手段と、
を更に備え、
前記撮像画角特定手段は、前記画像指定手段により指定された画角変更画像データに対応する前記変更条件データに基づいて、前記撮像画角を特定することを特徴とする請求項１に記載の撮像画角選定システム。
【請求項３】
前記表示手段の表示画角に関する仕様情報が予め記憶された仕様情報記憶手段を更に備え、
前記画角変更手段は、前記記憶された仕様情報に基づいて前記画角変更画像データを生成することを特徴とする請求項２に記載の撮像画角選定システム。
【請求項４】
撮像手段と、当該撮像手段により撮像された光学像を眼に導く接眼光学系とを有するヘッドマウントディスプレイの撮像画角選定方法であって、
前記撮像手段とは異なる他の撮像手段により撮像された画像データの撮像条件情報に基づいて、前記撮像手段の撮像画角を特定する撮像画角特定工程と、
前記特定された撮像画角の値を通知する通知工程と、
を含むことを特徴とする撮像画角選定方法。
【請求項５】
前記他の撮像手段により撮像された画像データに基づいて、当該画像データの画角を変更した少なくとも１以上の画角変更画像データを生成する画角変更工程と、
前記生成された画角変更画像データの変更条件を示した変更条件データを当該画角変更画像データと対応付けて記憶する変更条件記憶工程と、
前記生成された画角変更画像データを表示する表示工程と、
前記表示された画角変更画像データを選択的に指定可能な画像指定工程と、
を更に含み、
前記撮像画角特定工程は、前記画像指定工程で指定された画角変更画像データに対応する前記変更条件データに基づいて、前記撮像画角を特定することを特徴とする請求項４に記載の撮像画角選定方法。
【請求項６】
前記画角変更工程は、前記表示手段の表示画角に関する仕様情報に基づいて前記画角変更画像データを生成することを特徴とする請求項５に記載の撮像画角選定方法。
【請求項７】
所定のピッチ間隔の目盛を有した目盛画像データを生成する目盛画像生成工程と、
前記生成された目盛画像データを表示する目盛画像表示工程と、
所定の尺度に対応する前記表示された目盛画像データの目盛位置に基づいて前記表示手段の表示画角を特定する表示画角特定工程と、
を更に含み、
前記画角変更工程は、前記特定された表示画角に基づいて前記画角変更画像データを生成することを特徴とする請求項４に記載の撮像画角選定方法。
【請求項８】
前記生成された画角変更画像データを識別する画像識別情報を生成する識別情報生成工程と、
前記生成された画像識別情報を前記画角変更画像データと対応付けて記憶する識別情報記憶工程と、
前記画角変更画像データ及び当該画角変更画像データに対応する画像識別情報に基づいて、印刷用画像データを生成する印刷用画像生成工程と、
前記生成された印刷用画像データを記録媒体に記録する画像形成工程と、
前記記録された印刷用画像データの画角変更画像データに対応する前記画像識別情報を選択的に指定可能な識別情報指定工程と、
を更に含み、
前記撮像画角特定工程は、前記識別情報指定工程で指定された画像識別情報に基づいて、前記撮像画角を特定することを特徴とする請求項４に記載の撮像画角選定方法。
【発明の詳細な説明】
【技術分野】
【０００１】
本発明は、撮像画角選定システム及び撮像画角選定方法に係り、特に、撮像装置付きヘッドマウントディスプレイの撮像画角選定システム及び撮像画角選定方法に関する。
【背景技術】
【０００２】
近年、電気通信技術の発展により、インターネット等の通信手段を用いたネットワーク販売が活発となっている。ネットワーク販売は、顧客がネットワーク接続されたパソコンや携帯電話等の通信端末から、時間と場所を選ばずに商品やサービスを注文できる利点がある。また、例えば、家に居ながらにして注文ができるため、体に不自由が有り店舗等に出向くことができない場合には特に便利である。
【０００３】
例えば、メガネを破損してしまった場合、裸眼視力の低い者は、メガネ店舗までの道のりも大変危険である。そこで、ネットワークを利用して、家に居ながらにしてメガネの販売を行う方法が提案されている（例えば、特許文献１参照）。
【０００４】
ところで、近年、ＣＣＤ（Charge Coupled Devices）等を用いた小型カメラで捕らえた映像を、眼前に備えられた小型ディスプレイに表示させる撮像装置付のヘッドマウントディスプレイ（以下、ＨＭＤという。）が開発されている。このようなカメラ付きのＨＭＤは、眼前に視界方向の映像を表示する特性から、視覚障害者等の第２の眼として視覚補助に活用されることが期待されている。例えば、視野狭窄を伴うような視覚障害者の場合、カメラレンズの撮像画角を調整することにより、視野角の狭窄を補うことが可能となる。
【特許文献１】特開２００１−３５０９８２号公報
【発明の開示】
【発明が解決しようとする課題】
【０００５】
しかしながら、カメラレンズの撮像画角の調整は専門的な知識が要求されるため、一般の利用者には理解がしがたく、メガネ店舗等に足を運び、様々な画角に調節された映像を実際に確認して所望する画角を選定するしかない。
また、特許文献１に記載の方法では、メガネのオーダーシステムであるため、上記したＨＭＤに特有の問題を解決できず、適用することはできない。
【０００６】
本発明の課題は、撮像画角の指定を簡便に行うことが可能な撮像画角選定システム及び撮像画角選定方法を提供することである。
【課題を解決するための手段】
【０００７】
上記課題を解決するために、請求項１に記載の発明は、
撮像手段と、当該撮像手段により撮像された光学像を眼に導く接眼光学系とを有するヘッドマウントディスプレイの撮像画角選定システムであって、
前記撮像手段とは異なる他の撮像手段と、
前記他の撮像手段により撮像された画像データ及び当該撮像時の撮像条件情報を記憶する記憶手段と、
前記記憶された撮像条件情報に基づいて、前記撮像手段の撮像画角を特定する撮像画角特定手段と、
前記特定された撮像画角の値を通知する通知手段と、
を備えたことを特徴としている。
【０００８】
更に、請求項２に記載の発明は、請求項１に記載の発明において、
前記他の撮像手段により撮像された画像データに基づいて、当該画像データの画角を変更した少なくとも１以上の画角変更画像データを生成する画角変更手段と、
前記生成された画角変更画像データの変更条件を示した変更条件データを当該画角変更画像データと対応付けて記憶する変更条件記憶手段と、
前記生成された画角変更画像データを表示する表示手段と、
前記表示された画角変更画像データを選択的に指定可能な画像指定手段と、
を更に備え、
前記撮像画角特定手段は、前記画像指定手段により指定された画角変更画像データに対応する前記変更条件データに基づいて、前記撮像画角を特定することを特徴としている。
【０００９】
更に、請求項３に記載の発明は、請求項２に記載の発明において、
前記表示手段の表示画角に関する仕様情報が予め記憶された仕様情報記憶手段を更に備え、
前記画角変更手段は、前記記憶された仕様情報に基づいて前記画角変更画像データを生成することを特徴としている。
【００１０】
また、上記課題を解決するために、請求項４に記載の発明は、
撮像手段と、当該撮像手段により撮像された光学像を眼に導く接眼光学系とを有するヘッドマウントディスプレイの撮像画角選定方法であって、
前記撮像手段とは異なる他の撮像手段により撮像された画像データの撮像条件情報に基づいて、前記撮像手段の撮像画角を特定する撮像画角特定工程と、
前記特定された撮像画角の値を通知する通知工程と、
を含むことを特徴としている。
【００１１】
更に、請求項５に記載の発明は、請求項４に記載の発明において、
前記他の撮像手段により撮像された画像データに基づいて、当該画像データの画角を変更した少なくとも１以上の画角変更画像データを生成する画角変更工程と、
前記生成された画角変更画像データの変更条件を示した変更条件データを当該画角変更画像データと対応付けて記憶する変更条件記憶工程と、
前記生成された画角変更画像データを表示する表示工程と、
前記表示された画角変更画像データを選択的に指定可能な画像指定工程と、
を更に含み、
前記撮像画角特定工程は、前記画像指定工程で指定された画角変更画像データに対応する前記変更条件データに基づいて、前記撮像画角を特定することを特徴としている。
【００１２】
更に、請求項６に記載の発明は、請求項５に記載の発明において、
前記画角変更工程は、前記表示手段の表示画角に関する仕様情報に基づいて前記画角変更画像データを生成することを特徴としている。
【００１３】
更に、請求項７に記載の発明は、請求項４に記載の発明において、
所定のピッチ間隔の目盛を有した目盛画像データを生成する目盛画像生成工程と、
前記生成された目盛画像データを表示する目盛画像表示工程と、
所定の尺度に対応する前記表示された目盛画像データの目盛位置に基づいて前記表示手段の表示画角を特定する表示画角特定工程と、
を更に含み、
前記画角変更工程は、前記特定された表示画角に基づいて前記画角変更画像データを生成することを特徴としている。
【００１４】
更に、請求項８に記載の発明は、請求項４に記載の発明において、
前記生成された画角変更画像データを識別する画像識別情報を生成する識別情報生成工程と、
前記生成された画像識別情報を前記画角変更画像データと対応付けて記憶する識別情報記憶工程と、
前記画角変更画像データ及び当該画角変更画像データに対応する画像識別情報に基づいて、印刷用画像データを生成する印刷用画像生成工程と、
前記生成された印刷用画像データを記録媒体に記録する画像形成工程と、
前記記録された印刷用画像データの画角変更画像データに対応する前記画像識別情報を選択的に指定可能な識別情報指定工程と、
を更に含み、
前記撮像画角特定工程は、前記識別情報指定工程で指定された画像識別情報に基づいて、前記撮像画角を特定することを特徴としている。
【発明の効果】
【００１５】
請求項１に記載の発明によれば、他の撮像手段により撮像された画像データの撮像条件情報に基づいて撮像手段の撮像画角を特定し、この特定された撮像画角の値を通知する。これにより、利用者は、所望する画角で撮像した画像データを提供するだけで、撮像手段の撮像手段の撮像画角を簡便に指定することができる。
【００１６】
請求項２に記載の発明によれば、画像指定手段により指定された画角変更画像データに対応する変更条件データに基づいて、撮像手段の撮像画角を特定する。これにより、利用者は、表示手段に表示された画角変更画像データから、所望する撮像画角有した画角変更画像データを指定することができるため、撮像手段の撮像画角を簡便に指定することができる。
【００１７】
請求項３に記載の発明によれば、表示手段の表示画角に関する仕様情報に基づいて画角変更画像データを生成する。これにより表示手段毎の仕様に応じた、画角変更画像データを生成することが可能であるため、画角変更画像データの見え方を一致させることができる。
【００１８】
請求項４に記載の発明によれば、他の撮像手段により撮像された画像データの撮像条件情報に基づいて撮像手段の撮像画角を特定し、この特定された撮像画角の値を通知する。これにより、利用者は、所望する画角で撮像した画像データを提供するだけで、撮像手段の撮像画角を指定することが可能であるため、撮像手段の撮像画角を簡便に指定することができる。
【００１９】
請求項５に記載の発明によれば、画像指定工程で指定された画角変更画像データに対応する変更条件データに基づいて、撮像手段の撮像画角を特定する。これにより、利用者は、表示手段に表示された画角変更画像データから、所望する撮像画角有した画角変更画像データを指定することができるため、撮像手段の撮像画角を簡便に指定することができる。
【００２０】
請求項６に記載の発明によれば、表示手段の表示画角に関する仕様情報に基づいて画角変更画像データを生成する。これにより、表示手段毎の仕様に応じた画角変更画像データを生成することが可能であるため、画角変更画像データの見え方を一致させることができる。
【００２１】
請求項７に記載の発明によれば、所定の尺度に対応する目盛画像データ上の目盛位置を示す目盛位置情報に基づいて表示画角を特定し、この特定された表示画角に基づいて画角変更画像データを生成する。これにより、表示手段の表示画角に応じた画角変更画像データを生成することが可能であるため、画角変更画像データの見え方を一致させることができる。
【００２２】
請求項８に記載の発明によれば、記録媒体に記録された印刷用画像データから選択的に指定される画角変更画像データの画像識別情報に基づいて、撮像手段の撮像画角を特定する。これにより、利用者は記録媒体に記録された印刷用画像データに基づいて、撮像画角の特定を行うことが可能であるため、利用者は記録媒体に記録された印刷用画像データから、所望する画角変更画像データに対応した画像識別情報を指定するだけで、撮像手段の撮像画角の指定を行うことができる。
【発明を実施するための最良の形態】
【００２３】
以下、本発明を実施するための最良の形態について図面を用いて説明する。ただし、本発明の範囲は、図示例に限定されないものとする。
【００２４】
＜第１の実施形態＞
図１に本第1の実施形態における撮像画角選定システム５０の概略図を示す。
図１に示すように、撮像画角選定システム５０は、端末１０、注文管理サーバ３０、製造機関４０等を有して構成されており、各装置はネットワークＮを介して情報の送受信が可能に接続されている。
【００２５】
ネットワークＮは、専用線や既存の一般公衆回線を利用して構築された通信ネットワークであり、ＬＡＮやＷＡＮなどの様々な回線形態を適用することが可能である。ネットワークＮには、例えば、電話回線網、ＩＳＤＮ回線網、専用線、移動体通信網、通信衛星回線、ＣＡＴＶ回線網などの各種通信回線網と、それらを接続するインターネットサービスプロバイダなどが含まれる。また、図１においては各装置、端末間は有線接続されている例を示しているが、無線接続であってもよい。ネットワークＮに接続される端末、注文管理サーバの数は特に限らないものとする。
【００２６】
以下、本撮像画角選定システム５０の各構成装置について説明する。
端末１０は、携帯電話、ＰＨＳ、ＰＤＡ、ノートパソコン等の携帯通信端末であって、本撮像画角選定システム５０の利用者により操作される端末である。この端末１０からネットワークＮを介し注文管理サーバ３０に接続することで、後述する撮像ユニット１２０（図２参照）の撮像画角を注文（オーダ）できるようになっている。
【００２７】
注文管理サーバ３０は、端末１０から送信される各種情報に基づいて、撮像ユニット１２０の撮像画角を決定し、当該撮像画角の値を発注情報として製造機関４０に出力するようになっている。
【００２８】
製造機関４０は、ＨＭＤの製造に係る製造工場等の製造機関であって、注文管理サーバ３０から入力される発注情報に基づいて、後述する撮像ユニット１２０の製造を行う。具体的には、注文管理サーバ３０から通知される撮像画角の値に基づき、その値を有した撮像ユニット１２０を製造する。
【００２９】
ここで、図２を参照して、本システムに関係するＨＭＤ１００について説明する。
図２に示すように、ＨＭＤ１００は、表示ユニット１１０が設けられた眼鏡フレームと、撮像ユニット１２０とを備えて構成されている。
【００３０】
眼鏡フレームは、左右対称に設けられたレンズ１０１Ｒ、１０１Ｌ、鼻当て部１０２Ｒ、１０２Ｌ、利用者頭部への保持部材であるテンプル１０３Ｒ、１０３Ｌ、ブリッジ１０４等を備えて構成されている。
【００３１】
表示ユニット１１０は、映像投射部１１０ａ、接眼光学系１１０ｂを備えて構成されている。映像投射部１１０ａはレンズ１０１Ｒに設けられ、当該レンズ１０１Ｒにはプリズム１１４、ホログラフィック光学素子（以下、ＨＯＥ；Holographic Optical Elementという）１１５が一体に形成されて、映像投射部１１０ａから発せられた映像の光学像を利用者の眼前に導く接眼光学系１１０ｂを構成している。
【００３２】
図３を参照して、表示ユニット１１０の表示方法について説明する。なお、映像には、静止画像、動画像の何れも含まれるものとする。
図３に示すように、映像投射部１１０ａは、ＬＥＤ（Light Emitting Diode）１１１、コンデンサレンズ１１２、ＬＣＤ（Liquid Crystal Display）１１３を備えて構成され、接眼光学系１１０ｂは、プリズム１１４、ＨＯＥ１１５を備えて構成されている。
【００３３】
ＬＥＤ１１１は、ＬＣＤ１１３を照明するための発光源であり、コンデンサレンズ１１２はＬＥＤ１１１が発した光をＬＣＤ１１３の全面に均一に導くための照明光学系である。ＬＣＤ１１３は、映像を表示する透過型の表示装置であり、ＬＥＤ１１１からの照明光を受けてプリズム１１４側に映像光を発する。
【００３４】
上記映像投射部１１０ａは筐体により覆われ、この筐体によりプリズム１１４が挟まれている。プリズム１１４は、透明なガラス又は樹脂等からなり、平板状に形成されたものである。プリズム１１４は、右眼用のレンズ１０１Ｒの一部に埋め込まれており、その下端部にはＨＯＥ１１５が形成されている。ＨＯＥ１１５は、プリズム１１４とレンズ１０１Ｒをホログラム基板として、その間に挟まれるように配置されている。ＨＯＥ１１５は、ホログラム基板面に対して平行でない干渉縞からなる２つの干渉縞パターンを有しており、この干渉縞パターンの回折作用によって、ＨＯＥ１１５に入射した光は回折反射して利用者の眼Ｅに導かれる。
【００３５】
すなわち、ＬＣＤ１１３から発せられた映像光は、プリズム１１４により反射を複数回繰り返しながらＨＯＥ１１５に導かれると、ＨＯＥ１１５により回折して平行光に近い光束となって利用者の眼Ｅに入射する。これにより、利用者に対して映像を表示することができる。
【００３６】
図２に戻り、テンプル１０３Ｒには、撮像ユニット１２０が取り付けられており、この撮像ユニット１２０はケーブルを介して表示ユニット１１０に接続されている。
【００３７】
撮像ユニット１２０は、光学レンズ、ＣＣＤ（Charge Coupled Device）等の光電変換素子、Ａ／Ｄ変換部等から構成される撮像手段であり、光学レンズを介して入力される被写体像をＣＣＤにより光電変換して画像信号を生成する。そして、Ａ／Ｄ変換部によりアナログ画像信号からデジタル画像データを得て、表示ユニット１１０に出力する。これを連続的に行うことにより、動画像、つまり撮像映像のデータを出力することができる。
【００３８】
ここで、撮像ユニット１２０が有する光学レンズは、その製造工程において該光学レンズが有する光学特性値を調整することにより、撮像画角を拡大（広角）又は縮小（望遠）することが可能であり、利用者は、表示ユニット１１０を介して画角が拡大又は縮小された被写体像を観察することが可能となる。
【００３９】
本撮像画角選定システム５０では、この撮像ユニット１２０が有する光学レンズの光学特性値に関してオーダすることが可能となっており、具体的には、端末１０を介して利用者から所望する撮像画角を指定されると、注文管理サーバ３０は、この指定された撮像画角の値を製造機関４０に通知する。以下、撮像ユニット１２０の撮像画角を、ＨＭＤ１００の撮像画角という。
【００４０】
次に、図４を参照して端末１０の機能的構成について説明する。
端末１０は図４に示す通り、制御部１１、操作部１２、表示部１３、無線通信部１４、撮像部１５、画像メモリ１６等を有して構成され、これらがバス１７により互いに接続されている。
【００４１】
制御部１１は、不図示のＣＰＵ（Central Processing Unit）、ＲＯＭ（Read Only Memory）、ＲＡＭ（Random Access Memory）等からなり、ＣＰＵは、ＲＡＭの所定領域を作業領域として、ＲＯＭに予め記憶されている各種制御プログラムを実行し端末１０を構成する各部の動作を制御する。また制御部１１は、操作部１２を介して入力される制御信号にしたがいながらＲＯＭに記録されたアプリケーションプログラムを読出・実行して端末１０の各種機能を実現するようになっている。
【００４２】
操作部１２は、文字入力キー，数字入力キーその他各種機能に対応付けられたキーを備えており、利用者によるキー操作で押下されたキーに対応する信号を制御部１１に出力するようになっている。また、操作部１２には撮像部１５による被写体の撮像をおこなうシャッタキーが備えられており、操作部１２は、利用者によるシャッタキーの操作で被写体を撮像する旨の制御信号を制御部１１に出力するようになっている。また、操作部１２には撮像部１５が撮像する画角を変更することが可能な調整キーが備えられており、操作部１２は、利用者による調整キーの操作で画角を変更する旨の制御信号を制御部１１に出力するようになっている。
【００４３】
表示部１３は、液晶ディスプレイ等から構成されており、制御部１１から入力された表示データに基づいてディスプレイ上に画像を表示するようになっている。また、表示部１３は、被写体の撮像時に撮像部１５の撮像素子から取り込まれた画像データをプレビュー画像として表示したり、実画像として表示したりするようになっている。
【００４４】
無線通信部１４は、通信サービス事業者が設置した無線基地局（図示略）との間で着信・発信等に係る無線信号の送受信をおこなうアンテナを備えており、制御部１１から入力される指示に従いながら無線基地局との間で端末１０用の通信プロトコルを実行して送受話音声の送受信やデータ通信等を実行するようになっている。なお、端末１０の型番や製造番号等、機種名を識別可能な機種識別情報が、データ中に含まれて送信されるものとする。
【００４５】
撮像部１５は、ガラス，プラスチック等からなる光学レンズと、ＣＣＤ（Charge Coupled Device），ＣＭＯＳ（Complementary Metal Oxide Semiconductor）等の撮像素子とから構成されており、光学レンズを介して入力される被写体の像を撮像素子で電気信号に変換して画像データを生成するようになっている。ここで撮像される画像データには、当該撮像時の撮像部１５の状態を示す撮像情報がＥｘｉｆ（Exchangeable Image Film Format）タグ等により付帯されて（或いは、当該画像データと対応付けられて）記憶されているものとする。撮像情報には、例えば、撮像時の焦点距離、画像サイズ、解像度、シャッタースピード、絞り値等のデータが含まれる。また、Ｅｘｉｆタグには、通常撮像を行ったカメラの機種、レンズ仕様等の情報が記録されているため、この情報を仕様情報として利用することとしてもよい。
【００４６】
画像メモリ１６は、半導体メモリ等から構成されており、撮像部１５により撮像された被写体の像を画像データとして記憶するようになっている。
【００４７】
次に、図５を参照して注文管理サーバ３０の機能的構成について説明する。
注文管理サーバ３０は図５に示す通り、制御部３１、操作部３２、表示部３３、記憶部３４、画像処理部３５、通信部３６等を有して構成されており、これらが互いにバス３７により接続されている。
【００４８】
制御部３１は、不図示のＣＰＵ、ＲＯＭ、ＲＡＭ等からなり、ＣＰＵは、ＲＡＭの所定領域を作業領域として、ＲＯＭ及び／又は記憶部３４に予め記憶されている各種制御プログラムを実行し注文管理サーバ３０を構成する各部の動作を制御する。また、制御部３１は利用者による操作部３２の操作にしたがいながらＲＯＭ及び／又は記憶部３４に記録されたアプリケーションプログラムを読出・実行して注文管理サーバ３０の各種機能を実現するようになっている。
【００４９】
また、制御部３１は、端末１０から送信される各種データ及び指示情報に基づいて、当該端末１０の利用者からオーダされるＨＭＤ１００の撮像画角を決定し、該決定された撮像画角の値を含むオーダ情報を製造機関４０に送信する。
【００５０】
操作部３２は、文字入力キー、テンキー、カーソルキー、各種機能キーなどを配列したキーボードを備えており、キーボードで押下されたキーに対応する信号を制御部３１に出力するようになっている。また操作部３２には必要に応じてマウス、タッチパネルなどのポインティングデバイスその他の入力装置が備えられてもよい。
【００５１】
表示部３３は、ＣＲＴ（Cathode Ray Tube）ディスプレイや液晶ディスプレイなどから構成されており、制御部３１から入力される表示データに基づいてディスプレイ上に画像を表示するようになっている。
【００５２】
記憶部３４、書き換え可能な記録媒体であって、端末１０毎に固有の仕様を示した仕様情報が予め記憶されている。この仕様情報としては、例えば、端末１０が有する表示部１３の表示画角、表示サイズ、解像度、製造番号、端末１０の機種毎に固有の装置構成、機能に関する情報等が含まれる。
【００５３】
画像処理部３５は、制御部３１からの指示にしたがって、端末１０から送信された画像データに対し、所定の画像処理を施す。具体的には、画像データの表示画角を拡大又は縮小させる画像処理を施し、当該画角が変更された少なくとも１以上の画像データ（以下、画角変更後の画像データを画角変更画像データという）を生成する。なお、ここで生成された各画角変更画像データの画角変更条件は、制御部３１による画角決定の際に参照可能なようにＲＡＭ又は記憶部３４に記憶される。
【００５４】
通信部３６は、モデム，ターミナルアダプタなどにより構成され、ネットワークＮに接続された端末１０との通信等を可能とするインターフェースである。
【００５５】
次に、図６を参照して、端末１０と注文管理サーバ３０との間で行われる、ＨＭＤ１００の撮像画角に関する選定手続・処理を説明する。なお、図６は端末１０の制御部１１及び注文管理サーバ３０の制御部３１が実行する処理を示している。
【００５６】
本処理の前提として、利用者からＨＭＤ１００の購入に係る所定の手続がなされているものとするが、その態様は特に問わず、利用者から端末１０を介して注文管理サーバ３０と直接的な手続きがなされてもよいし、他の伝達手段（例えば、電話、ＦＡＸ等）を介して手続きがなされてもよい。
【００５７】
まず、利用者による操作部１２の調整キーの操作に応じて、撮像部１５の撮像画角を変更し（ステップＳ１１）、この画角変更操作が終了するまで待機を行う（ステップＳ１１；Ｎｏ）。
【００５８】
次いで、利用者による操作部１２のシャッタキーの押下に応じて、撮像部１５による撮像を行い（ステップＳ１２）、この撮像された画像データを、無線通信部１４を介して注文管理サーバ３０に送信する（ステップＳ１３）。
【００５９】
なお、ここで撮像される被写体は、特に限らないものとするが、利用者が普段見慣れた風景等とすることにより、後述する画角比較の際に現実的な観点から画角を比較することができる。また、利用者にかかる負担も少ないため簡便さの観点からも好ましい。
また、撮像時における端末１０（撮像部１５）と利用者の目との間は、所定の距離（例えば、１０ｃｍ等）を有して撮像されることが好ましい。
【００６０】
一方、注文管理サーバ３０は、端末１０から画像データを受信し、この画像データとともに受信された端末１０の機種識別情報に基づいて、記憶部３４に記憶された仕様情報のうち、当該端末１０に該当する仕様情報を参照する（ステップＳ１４）。そして、この仕様情報に基づいて、画像変更画像データを生成し（ステップＳ１５）、この画角変更画像データを端末１０に送信する（ステップＳ１６）。なお、ここで画像データのＥｘｉｆタグに、カメラの機種、レンズ仕様等を記録した仕様情報が含まれている場合には、この仕様情報に基づいてステップＳ１４の処理を行うこととしてもよい。
【００６１】
図７は、ステップＳ１５で生成された画角変更画像データの一例を示す図である。
ここで、図７（ａ）は、撮像部１５により撮像された画像データを示している。画像処理部３５は、制御部３１の制御にしたがい、この画像データに対し拡大処理、縮小処理を施すことで、当該画像データの画角を変更する。そして、この画像処理の際のパラメータ（拡大率、縮小率等）が、画角変更条件情報として記憶部３４に記憶されることになる。
【００６２】
なお、図７（ｂ）は画像データを拡大した画角変更画像データを示しており、図７（ｃ）は画像データを縮小した画角変更画像データを示している。また、図７（ｃ）において、斜で示した領域は、画像データに含まれていない撮像領域を示している。
【００６３】
図６に戻り、端末１０は、注文管理サーバ３０から送信された画角変更画像データを受信すると、当該画角変更画像データを表示部１３に表示させ（ステップＳ１７）、購買者から操作部１２を介して画角変更画像データが選択されるまで待機を行う（ステップＳ１８；Ｎｏ）。なお、表示部１３に表示される画角変更画像データが複数ある場合、一覧表示等の、相互に比較可能な態様で表示されることが好ましい。また、本端末１０で撮像された画像データを、画角変更画像データと比較可能な態様で表示することとしてもよい。
【００６４】
ここで、操作部１２を介して特定の画角変更画像データが選択された旨の選択指示信号を受信すると（ステップＳ１８；Ｙｅｓ）、この選択指示情報を注文管理サーバ３０に送信し（ステップＳ１９）、端末１０側の処理は終了する。
【００６５】
一方、注文管理サーバ３０は、端末１０から送信された選択指示情報を受信すると、この選択指示情報で指示される画角変更画像データの画角変更条件を参照し、この画角変更条件と、画像データに付帯された当該画像データ撮像時の撮像情報と、に基づいてオーダを行うＨＭＤ１００の撮像画角を決定し（ステップＳ２０）、本処理は終了する。
【００６６】
なお、本第１の実施形態では、端末１０から送信された画像データから画角変更画像データを生成し、利用者により選択された画角変更画像データに基づきＨＭＤ１００の撮像画角を決定することとしたが、これに限らず、端末１０から送信された画像データの撮像条件情報に基づいて、直ちにＨＭＤ１００の撮像画角を決定することとしてもよい。
【００６７】
以上のように、本第１の実施形態によれば、撮像部１５により撮像された画像データの撮像条件情報に基づいてＨＭＤ１００の撮像画角を特定し、この特定された撮像画角の値を通知する。これにより、利用者は、所望する画角で撮像した画像データを提供するだけで、ＨＭＤ１００の撮像画角を簡便に指定することができる。
【００６８】
また、操作部１２により指定された画角変更画像データに対応する変更条件データに基づいて、ＨＭＤ１００の撮像画角を特定するため、利用者は、表示部１３に表示された画角変更画像データから、所望する撮像画角有した画角変更画像データを指定することができ、ＨＭＤ１００の撮像画角を簡便に指定することができる。
【００６９】
また、表示部１３の表示画角に関する仕様情報に基づいて画角変更画像データを生成するため、表示手段毎の仕様に応じた画角変更画像データを生成することが可能であり、画角変更画像データの見え方を一致させることができる。
【００７０】
また、カメラ付き携帯電話のような広く普及した携帯通信端末を用いて、ＨＭＤ１００の撮像画角の注文が可能となるため、簡易、且つ、安全に撮像画角の指定を行うことができる。
【００７１】
＜第２の実施形態＞
次に、撮像画角選定システム５０の第２の実施形態を説明する。なお、説明の簡略化のため、第１の実施形態と同一な構成については同一の符号を付して説明を省略し、第２の実施形態に特徴的な部分のみを説明する。
【００７２】
まず、本第２の実施形態の端末１０について図８を参照して説明する。
図８に示すように、端末１０は、前述した第１の実施形態の構成に加え、画像処理部１８を更に有して構成されている。
【００７３】
画像処理部１８は、制御部１１からの指示にしたがって、撮像部１５により撮像された画像データに対し所定の画像処理を施す。具体的には、画像データの表示画角を拡大又は縮小させる画像処理を施し、当該画角が変更された少なくとも１以上の画角変更画像データというを生成する。なお、ここで生成された各画角変更画像データの画角変更条件はＲＡＭに記憶されるものとする。
【００７４】
なお、本第２の実施形態における注文管理サーバ３０は、上述した画像処理部３５を備えた構成としてもよいし、備えない構成としてもよい。
【００７５】
次に、図９を参照しながら、端末１０と注文管理サーバ３０との間で行われる、ＨＭＤ１００の撮像画角に関する選定手続・処理を説明する。なお、図９は端末１０の制御部１１及び注文管理サーバ３０の制御部３１が実行する処理を示している。
【００７６】
まず、利用者による操作部１２の調整キーの操作に応じて、撮像部１５の撮像画角を調整し（ステップＳ３１）、利用者からの操作が終了するまで待機する（ステップＳ３１；Ｎｏ）。
【００７７】
次いで、利用者による操作部１２のシャッタキーの押下に応じて、撮像部１５による撮像を行い（ステップＳ３２）、この撮像された画像データをＲＡＭに記憶する。
【００７８】
続いて、この撮像された画像データに基づいて、画像変更画像データを生成し（ステップＳ３３）、この画角変更画像データを表示部１３に表示させて（ステップＳ３４）、購買者から操作部１２を介して画角変更画像データが選択されるまで待機を行う（ステップＳ３５；Ｎｏ）。このステップＳ３３の処理に必要なプログラムは、注文管理サーバ３０等の他のサーバサイトからダウンロード等により提供される、或いは、メモリカード等に着脱可能な記録媒体を介して提供されることが好ましい。このことにより、携帯通信端末に、ハードウェア機器の追加等伴わず実現することができるので便利である。また、スタンドアロンの状態で画角変更画像データの生成を行うことができるため、通信（電波）状態に依らずに実行することができるようになる。
【００７９】
ここで、操作部１２を介して特定の画角変更画像データが選択されると（ステップＳ３５；Ｙｅｓ）、当該選択さらた画角変更画像データの画角変更条件を読み出し、この画角変更条件及び画角変更画像データの基になった画像データを注文管理サーバ３０に送信し（ステップＳ３６）、端末１０側の処理は終了する。
なお、ここで画像データを送信することとしたが、これに限らず、画像データ撮像時の撮像情報が画角変更画像データに含まれている場合には、この画角変更画像データを送信することとしてもよい。
【００８０】
一方、注文管理サーバ３０は、端末１０から送信された画像データ及び画角変更条件を受信すると、当該画像データ及び画角変更条件に基づいてオーダを行うＨＭＤ１００の撮像画角を決定し（ステップＳ３７）、本処理は終了する。
【００８１】
以上のように、本第２の実施形態によれば、撮像部１５により撮像された画像データの撮像条件情報に基づいてＨＭＤ１００の撮像画角を特定し、この特定された撮像画角の値を通知する。これにより、利用者は、所望する画角で撮像した画像データを提供するだけで、ＨＭＤ１００の撮像画角を簡便に指定することができる。
【００８２】
また、  また、操作部１２により指定された画角変更画像データに対応する変更条件データに基づいて、ＨＭＤ１００の撮像画角を特定するため、利用者は、表示部１３に表示された画角変更画像データから、所望する撮像画角有した画角変更画像データを指定することができ、ＨＭＤ１００の撮像画角を簡便に指定することができる。
【００８３】
また、カメラ付き携帯電話のような広く普及した携帯通信端末を用いて、ＨＭＤ１００の撮像画角の注文が可能となるため、簡易、且つ、安全に撮像画角の指定を行うことができる。
【００８４】
＜第３の実施形態＞
次に、撮像画角選定システム５０の第３の実施形態を説明する。なお、説明の簡略化のため、第１の実施形態と同一な構成については同一の符号を付して説明を省略し、第３の実施形態に特徴的な部分のみを説明する。
【００８５】
図１に本第３の実施形態における撮像画角選定システム５０の概略図を示す。
図１に示すように、撮像画角選定システム５０は、端末２０、注文管理サーバ３０、製造機関４０等を有して構成されており、各装置はネットワークＮを介して情報の送受信が可能に接続されている。
【００８６】
以下、本撮像画角選定システム５０の各構成装置について説明する。
端末２０は、ＰＣ（Personal Computer）等の情報通信端末であって、本システムの利用者により操作される端末である。この端末２０からネットワークＮを介し注文管理サーバ３０に接続することで、後述するＨＭＤが有する撮像ユニット１２０（図２参照）の撮像画角を注文（オーダ）できるようになっている。
【００８７】
なお、本第３の実施形態では、端末２０を介してＨＭＤ１００の撮像画角が指定される場合を説明するが、注文管理サーバ３０は端末２０に対し、端末１０と同様の処理を行うものとする。
【００８８】
図１０に、本第３の実施形態における端末２０の機能的構成を示す。
図１０に示すように、端末２０は、制御部２１、操作部２２、表示装置２３、記憶部２４、通信部２５等を有して構成されており、これらが互いにバス２６により接続されている。
【００８９】
制御部２１は、不図示のＣＰＵ、ＲＯＭ、ＲＡＭ等からなり、ＣＰＵは、ＲＡＭの所定領域を作業領域として、ＲＯＭ及び／又は記憶部２４に予め記憶されている各種制御プログラムを実行し端末２０を構成する各部の動作を制御する。また、制御部２１は利用者による操作部２２の操作にしたがいながらＲＯＭ及び／又は記憶部２４に記録されたアプリケーションプログラムを読出・実行して端末２０の各種機能を実現するようになっている。
【００９０】
操作部２２は、文字入力キー、テンキー、カーソルキー、各種機能キーなどを配列したキーボードを備えており、キーボードで押下されたキーに対応する信号を制御部２１に出力するようになっている。また操作部２２には必要に応じてマウス、タッチパネルなどのポインティングデバイスその他の入力装置が備えられてもよい。
【００９１】
表示装置２３は、ＣＲＴ（Cathode Ray Tube）ディスプレイや液晶ディスプレイなどから構成されており、制御部２１から入力される表示データに基づいて、表示装置２３のディスプレイ上に画像を表示するようになっている。
【００９２】
記憶部２４は、書き換え可能な記録媒体であって、デジタルカメラ、ビデオカメラ、撮像機能付き携帯電話等の撮像手段により撮像された画像データを記憶する。なお、これら撮像手段から画像データの入力を行う態様は、特に限らず、例えば、有線通信又は無線通信、又は、着脱可能な記録媒体を介して行うこととしてもよい。
【００９３】
なお、ここで記憶部２４に記憶される画像データは、事前に利用者の所望する画角で撮像された画像データであるものとし、この画像データには当該画像データ撮像時の撮像条件が付帯されているものとする。
【００９４】
通信部２５は、モデム，ターミナルアダプタなどにより構成され、ネットワークＮに接続された注文管理サーバ３０との通信等を可能とするインターフェースである。
【００９５】
次に、図５を参照して、本第３の実施形態における注文管理サーバ３０の機能的構成を説明する。
まず、本第３の実施形態の記憶部３４について説明する。第１の実施形態において、記憶部３４は、端末１０の仕様情報を予め記憶することとしたが、本第３の実施形態における記憶部３４は、端末２０の仕様情報を記憶しないこととする。
【００９６】
また、画像処理部３５は、制御部３１からの指示にしたがって、所定のピッチ間隔の目盛を有した目盛画像データを生成する。この目盛画像データは、通信部３６を介して端末２０に送信される。
【００９７】
また、制御部３１は、目盛画像データに対する応答として、端末２０から送信される指示情報に基づいて端末２０が有する表示装置２３の表示特性を特定し、この表示特性に基づいて画角変更画像データの生成を行う。
【００９８】
次に、図１１を参照しながら、端末２０と注文管理サーバ３０との間で行われる、ＨＭＤ１００の撮像画角に関する選定手続・処理を説明する。なお、図１１は端末２０の制御部２１及び注文管理サーバ３０の制御部３１が実行する処理を示している。
【００９９】
まず、端末２０は、ＨＭＤ１００の撮像画角に係るオーダを開始する旨の情報を送信し（ステップＳ４１）、この情報が注文管理サーバ３０に受信されると、注文管理サーバ３０は、画像処理部３５を制御して目盛画像データを生成し（ステップＳ４２）、この生成された目盛画像データを端末２０に送信する（ステップＳ４３）。
【０１００】
次いで、端末２０は、受信した目盛画像データを表示装置２３に表示させ（ステップＳ４４）、この表示された目盛画像データ上の目盛位置と、基準長を有した基準器との比較結果が、利用者により操作部２２を介して入力されるまで待機を行う（ステップＳ４５；Ｎｏ）。
【０１０１】
ここで、利用者から比較結果が入力されると（ステップＳ４５；Ｙｅｓ）、制御部２１は、この比較結果情報及び記憶部２４に記憶された画像データを、注文管理サーバ３０に送信する（ステップＳ４６）。
【０１０２】
ここで、図１２を参照してステップＳ４５〜Ｓ４６の処理について説明する。
図１２は、表示装置２３に表示された目盛画像データを示している。ここで、この目盛画像データのピッチ間隔は、表示装置２３の画面サイズ、解像度等の表示画角に係る表示特性に応じて伸長、短縮することになる。そのため、この目盛画像上の目盛位置と、基準となる尺度を有した定規等の基準器Ｄとを比較すること得られる、所定の尺度に対応する前記目盛画像データ上の目盛位置を、表示装置２３の表示画角を特定するための指標とすることができる。
【０１０３】
図１２に示すように、利用者により、表示装置２３の画面に表示された目盛画像データのピッチ間隔と基準器Ｄとが比較され、所定の尺度に対応する目盛画像データの目盛位置が、操作部２２介し比較結果情報として入力されることになる。例えば、基準器Ｄの１０ｃｍの長さに対応する目盛画像データ上の目盛位置が、図１２に示す「３」であるような場合には、この「３」の値が目盛位置情報として入力される。
【０１０４】
なお、基準とする尺度は、上記例に限らないものとするが、クレジットカード等の規格化された長さを基準尺度とすることが好ましい。
【０１０５】
図１１に戻り、注文管理サーバ３０は、端末１０から送信された比較結果情報及び画像データを受信すると、この比較結果情報に基づいて表示装置２３の表示特性を特定し（ステップＳ４７）、この表示特性に基づいて画像データから画角変更画像データを生成する（ステップＳ４８）。そして、この画角変更画像データを、通信部３６を介して端末２０に送信する（ステップＳ４９）。
【０１０６】
端末２０は、注文管理サーバ３０から送信された画角変更画像データを受信すると、当該画角変更画像データを表示装置２３に表示させ（ステップＳ５０）、利用者から操作部２２を介して画角変更画像データが選択されるまで待機を行う（ステップＳ５１；Ｎｏ）。
【０１０７】
ここで、操作部２２を介して特定の画角変更画像データが選択された旨の選択指示信号を受信すると（ステップＳ５１；Ｙｅｓ）、この選択指示情報を注文管理サーバ３０に送信し（ステップＳ５２）、端末２０側の処理は終了する。
【０１０８】
一方、注文管理サーバ３０は、端末２０から送信された選択指示情報を受信すると、この選択指示情報で指示される画角変更画像データの画角変更条件を参照し、この画角変更条件と、画像データに付帯された当該画像データ撮像時の撮像情報と、に基づいてオーダを行うＨＭＤ１００の撮像画角を決定し（ステップＳ５３）、本処理は終了する。
【０１０９】
以上のように、本第３の実施形態によれば、他の撮像手段により撮像された画像データの撮像条件情報に基づいて撮像手段の撮像画角を特定し、この特定された撮像画角の値を通知する。これにより、利用者は、所望する画角で撮像した画像データを提供するだけで、撮像手段の撮像手段の撮像画角を簡便に指定することができる。
【０１１０】
また、所定の尺度に対応する目盛画像データ上の目盛位置を示す目盛位置情報に基づいて表示画角を特定し、この特定された表示画角に基づいて画角変更画像データを生成する。これにより、表示手段の表示画角に応じた画角変更画像データを生成することが可能であるため、画角変更画像データの見え方を一致させることができる。
【０１１１】
＜第４の実施形態＞
次に、撮像画角選定システム５０の第４の実施形態を説明する。なお、説明の簡略化のため、第１の実施形態及び第３の実施形態と同一な構成については同一の符号を付して説明を省略し、第４の実施形態に特徴的な部分のみを説明する。
【０１１２】
まず、本第４の実施形態の端末２０について図１３を参照して説明する。
図１３に示すように、端末２０は、前述した第３の実施形態の構成に加え、画像形成装置２７を更に有して構成されている。
【０１１３】
画像形成装置２７は、インクジェットプリンタ、レーザプリンタ等の印刷装置であって、制御部２１の制御からの指示にしたがって、印刷用紙等の記録媒体に画像形成を行う。
【０１１４】
次に、図５を参照して、本第４の実施形態における注文管理サーバ３０の機能的構成を説明する。
【０１１５】
画像処理部３５は、制御部３１からの指示にしたがって、画角変更画像データとともに、当該画角変更画像データを識別する画像識別情報を生成し、この画角変更画像データと画像識別情報とをそれぞれ対応付けた印刷用画像データを生成する。
【０１１６】
ここで、印刷用画像データとは、画像形成装置２７等の印刷装置において印刷されることを前提として生成される画像データであって、例えば、印刷時の用紙サイズ等を指示する印刷指示情報を含むことしてもよい。
【０１１７】
次に、図１４を参照しながら、端末２０と注文管理サーバ３０との間で行われる、ＨＭＤ１００の撮像画角に関する選定手続・処理を説明する。なお、図１４は端末２０の制御部２１及び注文管理サーバ３０の制御部３１が実行する処理を示している。
【０１１８】
まず、端末２０は、ＨＭＤ１００の撮像画角に係るオーダを開始する旨の情報とともに、記憶部２４に記憶された画像データを注文管理サーバ３０に送信する（ステップＳ６１）。
【０１１９】
一方、注文管理サーバ３０は、端末２０から画像データを受信すると、当該画像データに基づいて、画角変更画像データを生成するとともに（ステップＳ６２）、画像識別情報を生成し（ステップＳ６３）、この画像変更画像データ及び画像識別情報に基づいて印刷用画像データを生成する（ステップＳ６４）。そして、この生成された印刷用画像データを端末２０に送信する（ステップＳ６５）。
【０１２０】
端末２０は、注文管理サーバ３０から印刷用画像データを受信すると、画像形成装置２７を制御して、当該印刷用画像データを記録媒体に記録し（ステップＳ６６）、この印刷された画角変更画像に対応する画像識別情報が、操作部２２を介して入力されるまで待機を行う（ステップＳ６７；Ｎｏ）。操作部２２を介して画像識別情報が入力されると（ステップＳ６７；Ｙｅｓ）、この画像識別情報を、通信部２５を介して注文管理サーバ３０に送信し（ステップＳ６８）、端末２０側の処理は終了する。
【０１２１】
ここで、図１５及び図１６を参照してステップＳ６７〜Ｓ６８の処理について説明する。
図１５は、記録媒体Ｍに記録された印刷用画像データの一例を示す図である。同図に示すように各画角変更画像と、各画角変更画像に対応付けられた画像識別情報（図中、Ｇ１〜Ｇ３）と、がそれぞれ記録される。なお、ここで印刷用画像データが記録される記録媒体の材質、用紙サイズ等は、特に限らないものとする。また、記録媒体に記録される印刷用画像データの態様は、図１５に示した例に限らないものとするが、画角変更画像が複数ある場合には、一覧表示等の、相互に比較可能な態様で表示されることが好ましい。
【０１２２】
図１６は、記録媒体Ｍと利用者Ｕとの関係を示す図である。
画角変更画像及び画像識別情報が記録された記録媒体Ｍは、図１６に示すように所定の距離を有して利用者Ｕから観察される。ここで、利用者Ｕにより、所望する画角を有した画角変更画像が選択され、この画角変更画像に対応する画像識別情報が、操作部２２を介して端末１０に入力されることになる。例えば、図１５に示した記録媒体Ｍにおいて、画角が拡張された画角変更画像が所望された場合には、「Ｇ３」の値が入力される。
【０１２３】
なお、利用者Ｕと記録媒体Ｍとの間の距離Ｌは、特に限らないものとするが、記録媒体Ｍに記録された画角変更画像の大きさに応じた距離とすることが好ましい。
また、画像形成装置２７により記録媒体Ｍに記録される画角変更画像の大きさは、該画像形成装置２７の設定条件により伸縮する可能性があるため、記録媒体Ｍに記録された際の画角変更画像の大きさと、注文管理サーバ３０側で予定した大きさとを比較するための校正用データを印刷用画像データに含め、該印刷用画像データの記録時に画角変更画像及び画像識別情報とともに、この校正用データを記録することとしてもよい。
【０１２４】
図１７は、記録媒体Ｍに記録された校正用データＰを示した図である。ここで、この校正用データＰと比較するための目盛画像データを、前述した第３の実施形態と同様に表示装置２３に表示させ、同図に示すように記録媒体Ｍに記録された校正用データＰと、目盛画像データ上の目盛位置とを比較することにより、画角変更画像の伸縮度合いを測ることが可能となる。例えば、注文管理サーバ３０において、目盛画像データ上の「１２」の目盛位置で記録されることが予定されていたにもかかわらず、図に示すように「９」の目盛位置であった場合には、利用者は、画角変更画像は縮小されて印刷されたことを把握することができる。なお、予定された記録サイズの目盛位置を示す情報が、印刷用画像データとともに端末２０に送信される等により、利用者Ｕに予め通知されているものとする。
【０１２５】
上記のような場合、予定された記録サイズの目盛位置と、実際に測定された目盛位置とに基づいて、利用者Ｕと記録媒体Ｍとの距離Ｌを調整することにより、画角変更画像の記録サイズに依らずに、画角変更画像の見え方を一致させることができる。
【０１２６】
図１４に戻り、注文管理サーバ３０は、端末２０から送信された画像識別情報を受信すると、この画像識別情報に対応する画角変更画像データの画角変更条件を参照し、この画角変更条件と、画像データに付帯された当該画像データ撮像時の撮像情報と、に基づいてオーダを行うＨＭＤ１００の撮像画角を決定し（ステップＳ６９）、本処理は終了する。
【０１２７】
以上のように、本第４の実施形態によれば、他の撮像手段により撮像された画像データの撮像条件情報に基づいて撮像手段の撮像画角を特定し、この特定された撮像画角の値を通知する。これにより、利用者は、所望する画角で撮像した画像データを提供するだけで、撮像手段の撮像手段の撮像画角を簡便に指定することができる。
【０１２８】
また、利用者は記録媒体に記録された印刷用画像データに基づいて、撮像画角の特定を行うことが可能であるため、利用者は記録媒体に記録された印刷用画像データから、所望する画角変更画像データに対応した画像識別情報を指定するだけで、撮像手段の撮像画角の指定を行うことができる。
【０１２９】
本発明は、上記実施の形態に限定されることなく、本発明の趣旨を逸脱しない範囲において、種々の改良並びに設計の変更を行ってもよい。
【０１３０】
例えば、本撮像画角選定システム５０をＨＭＤの撮像画角の選定に用いたが、これに限らず、他の光学機器の撮像画角の選定に用いることとしてもよい。
【０１３１】
また、本実施の形態では、ＨＭＤ１００が備える撮像ユニット１２０の撮像画角について調整することとしたが、これに限らず、表示ユニット１１０のコンデンサレンズ１１２を調整することで、利用者の眼Ｅに導光される画像光の表示画角を変更するようにしてもよい。
【図面の簡単な説明】
【０１３２】
【図１】撮像画角選定システム５０の概要を示す図である。
【図２】ＨＭＤ１００を示す図である。
【図３】映像投射部及び接眼光学系を示す図である。
【図４】第１の実施形態における端末１０の機能的構成を示すブロック図である。
【図５】第１の実施形態における注文管理サーバ３０の機能的構成を示すブロック図である。
【図６】第１の実施形態における撮像画角選定システムの動作の一例を説明するための図である。
【図７】画角変更画像データを説明するための図あって、（ａ）画像データの一例を示す図、（ｂ）画角変更画像データ（望遠）の一例を示す図、（ｃ）画角変更画像データ（広角）の一例を示す図である。
【図８】第２の実施形態における端末１０の機能的構成を示すブロック図である。
【図９】第２の実施形態における撮像画角選定システムの動作の一例を説明するための図である。
【図１０】第３の実施形態における端末２０の機能的構成を示すブロック図である。
【図１１】第３の実施形態における撮像画角選定システムの動作の一例を説明するための図である。
【図１２】表示装置２３に表示された目盛画像データの一例を示す図である。
【図１３】第４の実施形態における端末２０の機能的構成を示すブロック図である。
【図１４】第４の実施形態における撮像画角選定システムの動作の一例を説明するための図である。
【図１５】記録媒体Ｍに記録された印刷用画像データの一例を示す図である。
【図１６】利用者Ｕと記録媒体Ｍとの関係を示す図である。
【図１７】記録媒体Ｍに記録された校正用データと表示装置に表示された目盛画像データとの関係を示す図である。
【符号の説明】
【０１３３】
５０  撮像画角選定システム
１０  端末
１１  制御部
１２  操作部
１３  表示部
１４  無線通信部
１５  撮像部
１６  画像メモリ
１７  バス
１８  画像処理部
２０  端末
２１  制御部
２２  操作部
２３  表示装置
２４  記憶部
２５  通信部
２６  バス
２７  画像形成装置
３０  注文管理サーバ
３１  制御部
３２  操作部
３３  表示部
３４  記憶部
３５  画像処理部
３６  通信部
３７  バス
４０  製造機関
１００  ヘッドマウントディスプレイ（ＨＭＤ）
１０１Ｒ、１０１Ｌ  レンズ
１０２Ｒ、１０２Ｌ  鼻当て部
１０３Ｒ、１０３Ｌ  テンプル
１０４  ブリッジ
１１０  表示ユニット
１１０ａ  映像投射部
１１０ｂ  接眼光学系
１１１  ＬＥＤ
１１２  コンデンサレンズ
１１３  ＬＣＤ
１１４  プリズム
１１５  ＨＯＥ
１２０  撮像ユニット
【図１】
2006211543.tif 000003
【図２】
2006211543.tif 000004
【図３】
2006211543.tif 000005
【図４】
2006211543.tif 000006
【図５】
2006211543.tif 000007
【図６】
2006211543.tif 000008
【図８】
2006211543.tif 000009
【図９】
2006211543.tif 000010
【図１０】
2006211543.tif 000011
【図１１】
2006211543.tif 000012
【図１２】
2006211543.tif 000013
【図１３】
2006211543.tif 000014
【図１４】
2006211543.tif 000015
【図１６】
2006211543.tif 000016
【図７】
2006211543.tif 000017
【図１５】
2006211543.tif 000018
【図１７】
2006211543.tif 000019